(57)【要約】【課題】より簡素な構成で浄化機能の向上を図ることのできる浄水カートリッジを得る。【解決手段】内部に浄化材を充填する浄化室Ｓ１と、当該浄化室Ｓ１内に水を導入する導入部４ａと、当該浄化室Ｓ１内の水を吐出する吐出部５ａと、を有するカートリッジ本体３を備える浄水カートリッジ１において、カートリッジ本体３に隔壁８、９を設け、導入部４ａから吐出部５ａに至る流水経路１０の最短経路Ｌ２が導入部４ａと吐出部５ａとの最短距離Ｌ１よりも長くなるようにした。【選択図】図１
2010162490.tif 000002
【特許請求の範囲】
【請求項１】
内部に浄化材を充填する浄化室と、当該浄化室内に水を導入する導入部と、当該浄化室内の水を吐出する吐出部と、を有するカートリッジ本体を備える浄水カートリッジにおいて、
前記カートリッジ本体に隔壁を設け、前記導入部から前記吐出部に至る流水経路の最短経路が前記導入部と吐出部との最短距離よりも長くなるようにしたことを特徴とする浄水カートリッジ。
【請求項２】
前記カートリッジ本体は、開口が形成された第１の分割体と当該第１の分割体に取り付けられて前記開口を覆う第２の分割体とを備えており、
前記隔壁は、前記第１の分割体および第２の分割体の少なくともいずれか一方から前記第２の分割体の前記第１の分割体への取付方向に延設されるとともに、前記開口が水平となるように前記カートリッジ本体を配置した状態における平面視で前記開口の領域内に位置するように設けられていることを特徴とする請求項１に記載の浄水カートリッジ。
【請求項３】
前記流水経路は流向が変化する屈曲部を有しており、当該流水経路の屈曲部における水の流れの外側に位置する隅部にコーナー部材が設けられていることを特徴とする請求項２に記載の浄水カートリッジ。
【請求項４】
前記カートリッジ本体は、開口が形成された第１の分割体と当該第１の分割体に取り付けられて前記開口を覆う第２の分割体とを備えており、
前記隔壁は、前記第１の分割体および第２の分割体の少なくともいずれか一方に設けられ、前記第２の分割体の前記第１の分割体への取付方向に対して略直角方向に配置される邪魔板であることを特徴とする請求項１に記載の浄水カートリッジ。
【請求項５】
前記邪魔板は、前記第１の分割体および第２の分割体にそれぞれ設けられ、外径が前記カートリッジ本体の内径よりも小さい小径邪魔板と、浄化材の通過は阻止するが水の通過を許容する透過膜を設けた通過口が中央部に形成され、前記第１の分割体の開口を覆う大径邪魔板と、を備え、
前記流水経路は、前記小径邪魔板と前記大径邪魔板とにより迷路状に構成され、
前記第２の分割体に、前記大径邪魔板で開口を覆った前記第１の分割体が結合されることを特徴とする請求項４に記載の浄水カートリッジ。
【請求項６】
前記邪魔板の前記導入部側の面には、水の流れる方向に向かうほど薄くなるテーパ部が形成されるとともに、前記邪魔板の前記吐出部側の面には、水の流れる方向に向かうほど厚くなるテーパ部が形成されていることを特徴とする請求項４または請求項５に記載の浄水カートリッジ。
【請求項７】
内部に浄化材を充填する浄化室と、当該浄化室内に水を導入する導入部と、当該浄化室内の水を吐出する吐出部と、を有するカートリッジ本体を備える浄水カートリッジにおいて、
前記カートリッジ本体が、水の通過を遮断する可撓性部材で形成された細長の浄化材収納袋であることを特徴とする浄水カートリッジ。
【発明の詳細な説明】
【技術分野】
【０００１】
本発明は、浄水カートリッジに関する。
【背景技術】
【０００２】
従来、浄水カートリッジとして、カートリッジケースの内部に螺旋板を配置して水の通過経路を長くすることで水と浄化材との接触時間を長くして浄化材による浄化機能を高めたものが知られている（例えば、特許文献１参照）。
【先行技術文献】
【特許文献】
【０００３】
【特許文献１】特開平１１−３３３４４７号公報
【発明の概要】
【発明が解決しようとする課題】
【０００４】
しかしながら、かかる従来の浄水カートリッジにあっては、カートリッジケースの内部に螺旋板を配置することで水の通過経路を長くし、浄化材による浄化機能を高めているため、構造が複雑化してしまい、浄化材の充填作業が困難になる。
【０００５】
そこで、本発明は、より簡素な構成で浄化機能の向上を図ることのできる浄水カートリッジを得ることを目的とする。
【課題を解決するための手段】
【０００６】
請求項１の発明は、内部に浄化材を充填する浄化室と、当該浄化室内に水を導入する導入部と、当該浄化室内の水を吐出する吐出部と、を有するカートリッジ本体を備える浄水カートリッジにおいて、前記カートリッジ本体に隔壁を設け、前記導入部から前記吐出部に至る流水経路の最短経路が前記導入部と吐出部との最短距離よりも長くなるようにしたことを特徴とする。
【０００７】
請求項２の発明は、請求項１に記載の浄水カートリッジにおいて、前記カートリッジ本体は、開口が形成された第１の分割体と当該第１の分割体に取り付けられて前記開口を覆う第２の分割体とを備えており、前記隔壁は、前記第１の分割体および第２の分割体の少なくともいずれか一方から前記第２の分割体の前記第１の分割体への取付方向に延設されるとともに、前記開口が水平となるように前記カートリッジ本体を配置した状態における平面視で前記開口の領域内に位置するように設けられていることを特徴とする。
【０００８】
請求項３の発明は、請求項２に記載の浄水カートリッジにおいて、前記流水経路は流向が変化する屈曲部を有しており、当該流水経路の屈曲部における水の流れの外側に位置する隅部にコーナー部材が設けられていることを特徴とする。
【０００９】
請求項４の発明は、請求項１に記載の浄水カートリッジにおいて、前記カートリッジ本体は、開口が形成された第１の分割体と当該第１の分割体に取り付けられて前記開口を覆う第２の分割体とを備えており、前記隔壁は、前記第１の分割体および第２の分割体の少なくともいずれか一方に設けられ、前記第２の分割体の前記第１の分割体への取付方向に対して略直角方向に配置される邪魔板であることを特徴とする。
【００１０】
請求項５の発明は、請求項４に記載の浄水カートリッジにおいて、前記邪魔板は、前記第１の分割体および第２の分割体にそれぞれ設けられ、外径が前記カートリッジ本体の内径よりも小さい小径邪魔板と、浄化材の通過は阻止するが水の通過を許容する透過膜を設けた通過口が中央部に形成され、前記第１の分割体の開口を覆う大径邪魔板と、を備え、前記流水経路は、前記小径邪魔板と前記大径邪魔板とにより迷路状に構成され、前記第２の分割体に、前記大径邪魔板で開口を覆った前記第１の分割体が結合されることを特徴とする。
【００１１】
請求項６の発明は、請求項４または請求項５に記載の浄水カートリッジにおいて、前記邪魔板の前記導入部側の面には、水の流れる方向に向かうほど薄くなるテーパ部が形成されるとともに、前記邪魔板の前記吐出部側の面には、水の流れる方向に向かうほど厚くなるテーパ部が形成されていることを特徴とする。
【００１２】
請求項７の発明は、内部に浄化材を充填する浄化室と、当該浄化室内に水を導入する導入部と、当該浄化室内の水を吐出する吐出部と、を有するカートリッジ本体を備える浄水カートリッジにおいて、前記カートリッジ本体が、水の通過を遮断する可撓性部材で形成された細長の浄化材収納袋であることを特徴とする。
【発明の効果】
【００１３】
請求項１の発明によれば、カートリッジ本体に隔壁を設けることで導入部から吐出部に至る流水経路の最短経路が導入部と吐出部との最短距離よりも長くなるようにしたため、より簡素な構成で浄水カートリッジの浄化機能の向上を図ることができる。
【００１４】
請求項２の発明によれば、第２の分割体の第１の分割体への取付方向に隔壁を延設するとともに、第１の分割体の開口が水平となるようにカートリッジ本体を配置した状態における平面視で隔壁が開口の領域内に位置するようにしたため、隔壁に邪魔されることなく浄化室内に浄化材を充填することができる。また、第１の分割体と第２の分割体とを結合してカートリッジ本体を組み立てる際には、第２の分割体を第１の分割体に対して隔壁の延設方向に移動させながら組み立てることができるため、浄水カートリッジの組立作業性を向上させることができる。
【００１５】
請求項３の発明によれば、水の流れにくい隅部にコーナー部材を設けることで、流水経路の形状を水が通過する実質的な形状に近づけることができる。その結果、充填した浄化材を有効に利用できるようになる。
【００１６】
請求項４の発明によれば、第２の分割体の第１の分割体への取付方向に対して略直角方向に配置される邪魔板を隔壁として用い、導入部から吐出部に至る流水経路の最短経路が導入部と吐出部との最短距離よりも長くなるようにしたため、より簡素な構成で浄化機能の向上を図ることができる。
【００１７】
請求項５の発明によれば、第１の分割体および第２の分割体にそれぞれ設けられ、外径がカートリッジ本体の内径よりも小さい小径邪魔板と、浄化材の通過は阻止するが水の通過を許容する透過膜を設けた通過口が中央部に形成され、第１の分割体の開口を覆う大径邪魔板とにより流水経路を迷路状に形成し、第２の分割体に大径邪魔板で開口を覆った第１の分割体を結合させるようにしたため、水の通過経路を長くして浄化材との接触時間を長くし、浄化能力を高めることができる上、浄化室内に浄化材を容易に充填することができるようになり浄水カートリッジの組付作業性を向上させることができる。
【００１８】
請求項６の発明によれば、邪魔板の導入部側の面に水の流れる方向に向かうほど薄くなるテーパ部を形成するとともに、邪魔板の吐出部側の面に水の流れる方向に向かうほど厚くなるテーパ部を形成したため、流水経路の形状を水が通過する実質的な形状に近づけることができ、カートリッジ本体内に充填した浄化材を有効に利用できるようになる。
【００１９】
請求項７の発明によれば、浄化材を充填した可撓性の浄化材収納袋を用いることで、浄化材収納袋内を流れる水の通過経路を長くして浄化材との接触時間を長くし、浄化能力を高めることができる上、カートリッジ本体収納部内に折り畳まれて収納することができるため、浄水カートリッジのコンパクト化を図ることができる。さらに、浄化材収納袋を折り畳んで収納するだけで浄水カートリッジを組み立てることができるため、浄水カートリッジの組立作業性を向上できる。
【図面の簡単な説明】
【００２０】
【図１】本発明の第１実施形態にかかる浄水カートリッジの断面図である。
【図２】本発明の第１実施形態にかかる浄水カートリッジの分解斜視図である。
【図３】本発明の第１実施形態の変形例にかかる浄水カートリッジの断面図である。
【図４】本発明の第２実施形態にかかる浄水カートリッジの断面図である。
【図５】本発明の第２実施形態にかかる浄水カートリッジの内部構成部材の分解斜視図である。
【図６】本発明の第２実施形態にかかる浄水カートリッジの組み付け途中の断面図である。
【図７】本発明の第２実施形態にかかる浄水カートリッジの最終的な組み付け状態を示す断面図である。
【図８】本発明の第２実施形態の変形例にかかる浄水カートリッジの断面図である。
【図９】本発明の第３実施形態にかかる浄水カートリッジの断面図である。
【図１０】本発明の第４実施形態にかかる浄水カートリッジの断面図である。
【図１１】本発明の第４実施形態にかかる浄化材収納袋を展開した斜視図である。
【発明を実施するための形態】
【００２１】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２２】
（第１実施形態）図１、図２は、本発明の第１実施形態を示しており、図１は、浄水カートリッジの断面図、図２は浄水カートリッジの分解斜視図である。
【００２３】
図１に示すように、本実施形態にかかる浄水カートリッジ１は、例えば粒状あるいは粉状の活性炭等の浄化材２と、この浄化材２を充填する浄化室Ｓ１が内部に形成され、上側カバー（第２の分割体）３１とケース本体部（第１の分割体）３２とを有するカートリッジケース（カートリッジ本体）３と、このカートリッジケース３の上側カバー３１に設けられた流入口（導入部）４と、ケース本体部３２の下方に取り付けられる下側カバー３３と、この下側カバー３３に設けられた吐出口５と、を備えている。
【００２４】
そして、流入口４からカートリッジケース３内に流入した水を浄化材２で濾過して浄化し、浄化した水を吐出口５から吐出させるようにしている。なお、本実施形態では、ケース本体部３２の下方に下側カバー３３を取り付けることで、ケース本体部３２の底壁３２ｂと下側カバー３３との間に集水部７を設け、カートリッジケース３に形成した水通過口（吐出部）５ａから浄化室Ｓ１の外部に吐出された浄水を一旦集水部７に集め、この集水部７から吐出口５を介して浄水カートリッジ１の外部に吐出するようにしている。
【００２５】
このように、本実施形態では、流入口４が浄化室Ｓ１内に水を導入する導入部に相当するとともに、水通過口５ａが浄化室Ｓ１内の水を吐出する吐出部に相当しており、これらはいずれもカートリッジケース３に形成されている。
【００２６】
上側カバー３１は、図２に示すように、カートリッジケース３の有底円筒状に形成されたケース本体部３２とは別体に形成されており、ケース本体部３２に形成された上端開口部（開口）３２ａを閉止してケース本体部３２に液密に結合されている。また、下側カバー３３の周縁立上壁３３ａがケース本体部３２の下端周縁に結合されることで、下側カバー３３がケース本体部３２の下方に結合されている。
【００２７】
底壁３２ｂの周縁部には、後述する下側仕切筒（隔壁）９とケース本体部３２との間に、ケース本体部３２内を集水部７に連通させる環状の水通過口（吐出部）５ａが形成されており、この水通過口５ａには、浄化材２の通過は阻止するが水の通過は許容する多孔質膜３４が取り付けられている。
【００２８】
また、上側カバー３１の中心部には、上側仕切筒（隔壁）８が、カートリッジケース３の軸Ｃ方向（上側カバー３１のケース本体部３２への取付方向）に一体に垂設（突設）されている。この上側仕切筒８は、カートリッジケース３内部の軸長（本実施形態では上側カバー３１からケース本体部３２の底壁３２ｂまでの距離）よりも短く、ケース本体部３２に対して略同心円状に配置されている。また、本実施形態では、上側仕切筒８が１つ設けられており、その上端部の流入口４に連通する部分には、前述した多孔質膜３４と同様の多孔質膜３５が設けられている。
【００２９】
また、ケース本体部３２の底壁３２ｂからは下側仕切筒（隔壁）９が、カートリッジケース３の軸Ｃ方向に一体に立設（突設）されている。下側仕切筒９は、上側仕切筒８の径よりも大径の円筒形状をしており、カートリッジケース３内部の軸長よりも短くなっている。そして、この下側仕切筒９は、ケース本体部３２および上側仕切筒８に対して略同心円状に配置されている。なお、本実施形態では、下側仕切筒９は底壁３２ｂに１つ設けられている。
【００３０】
このように、ケース本体部３２、上側仕切筒８および下側仕切筒９を略同心円状に配置することで、カートリッジケース３の浄化室Ｓ１内に迷路状の流水経路１０を形成している。
【００３１】
このとき、本実施形態では、流入口（導入部）４から水通過口（吐出部）５ａに至る流水経路１０の最短経路Ｌ２が流入口（導入部）４と水通過口（吐出部）５ａとの最短距離Ｌ１よりも長くなるように上側仕切筒８、下側仕切筒９を設けている。
【００３２】
すなわち、流入口（導入部）４の平面領域の各点から水通過口（吐出部）５ａの平面領域まで最短距離で結んだ線分群で形成される領域が複数の領域に分割されるように隔壁としての上側仕切筒８および下側仕切筒９を設ける（隔壁によって線分群を構成する全ての線分が複数に分割されるようにする）ことで、浄化室Ｓ１内の水を迂回させるようにし、水の通過経路を長くしている。
【００３３】
本実施形態では、上側仕切筒８および下側仕切筒９によって、上記直線群で形成される領域（図１では、一例として直線Ｌ１を例示している）を３つの領域に分割している。
【００３４】
また、上側仕切筒８、下側仕切筒９をカートリッジケース３の軸Ｃ方向に延設することで、これら上側仕切筒８、下側仕切筒９が上端開口部（開口）３２ａが水平となるようにカートリッジケース３を配置した状態における平面視で上端開口部（開口）３２ａの領域内に位置するようにしている。
【００３５】
ところで、上述したように流水経路１０は、上側仕切筒８および下側仕切筒９によって形成されており、この上側仕切筒８および下側仕切筒９は、それぞれがカートリッジケース３内部の軸長よりも短く形成されているため、上側仕切筒８の先端とケース本体部３２の底壁３２ｂとの間に所定の間隔が設けられるとともに、下側仕切筒９の先端と上側カバー３１との間に所定の間隔が設けられる。
【００３６】
これにより、流入口４から注入された水は、上側仕切筒８に案内されて下方に流れ、上側仕切筒８の先端で上側仕切筒８と下側仕切筒９との間に流入して上方に流れ、下側仕切筒９の先端から下側仕切筒９とケース本体部３２との間に流入する。
【００３７】
すなわち、本実施形態にかかる流水経路１０には、上側仕切筒８の先端および下側仕切筒９の先端近傍に、水の流向が変化する屈曲部１１が形成されており、流水経路１０内を水がジグザグ状に流れるようになっている。こうして、流水経路１０内を流れた水は下側仕切筒９とケース本体部３２との間から吐出部５ａを通過して集水部７に流入し、集水部７を経由して吐出口５から吐出される。
【００３８】
このように構成された浄水カートリッジ１は、下側仕切筒９が設けられたケース本体部３２の上方に上側仕切筒８が設けられた上側カバー３１を取り付けるとともに、ケース本体部３２の下方に下側カバー３３を取り付け、カートリッジケース３の浄化室Ｓ１内に浄化材２を充填することで組み付けが完了する。
【００３９】
具体的には、図２に示すように、底壁３２ｂから一体に立設された下側仕切筒９を有するケース本体部３２の上端開口部３２ａから浄化材２を充填する。そして、上側仕切筒８が垂設された上側カバー３１を、上側仕切筒８を下方に位置させた状態で、浄化材２が充填されたケース本体部３２の上端開口部３２ａの上方からカートリッジケース３の軸Ｃに沿って下方に移動させる。このとき、上側仕切筒８がケース本体部３２の浄化室Ｓ１内に差し込まれることとなる。そして、上側カバー３１がケース本体部３２の上端開口部３２ａを閉止した状態で、当該上側カバー３１とケース本体部３２とを超音波溶着等により結合する。なお、上側仕切筒８をケース本体部３２の浄化室Ｓ１中に差し込む際には、図示せぬバイブレータ等によって振動を加えながら差し込むようにするのが望ましい。
【００４０】
そして、ケース本体部３２の下方に下側カバー３３を取り付けることで浄水カートリッジ１が組み付けられる。なお、下側カバー３３は、ケース本体部３２の上方に上側カバー３１を取り付ける前に、ケース本体部３２に取り付けてもよいし、ケース本体部３２の上方に上側カバー３１を取り付けた後に、ケース本体部３２に取り付けてもよい。
【００４１】
以上の本実施形態によれば、上側カバー３１からカートリッジケース３の軸Ｃ方向（上側カバー３１のケース本体部３２への取付方向）に突設した上側仕切筒８と、ケース本体部３２の底壁３２ｂからカートリッジケース３の軸Ｃ方向（上側カバー３１のケース本体部３２への取付方向）に突設した下側仕切筒９と、を設けることで、流入口（導入部）４から吐出部５ａに至る流水経路１０の最短経路Ｌ２が流入口４と吐出部５ａとの最短距離Ｌ１よりも長くなるようにしたため、水の通過経路が長くなって浄化材２との接触時間が長くなり、浄水カートリッジ１の浄水能力を高めることができる。
【００４２】
また、円筒状の上側仕切筒８および下側仕切筒９を突設するだけで水の通過経路を長くすることができるため、より簡素な構成で浄水カートリッジ１の浄化機能の向上を図ることができるようになる。
【００４３】
また、本実施形態によれば、カートリッジケース３の軸Ｃ方向（上側カバー３１のケース本体部３２への取付方向）に上側仕切筒８および下側仕切筒９を延設するとともに、上端開口部（開口）３２ａが水平となるようにカートリッジケース３を配置した状態における平面視で上端開口部（開口）３２ａの領域内に位置するように上側仕切筒８および下側仕切筒９を設けることで、ケース本体部３２の上端開口部３２ａから浄化材２を充填する際に、これら上側仕切筒８および下側仕切筒９に邪魔されることなくケース本体部３２内に浄化材２を充填することができるようになる。
【００４４】
また、上側仕切筒８および下側仕切筒９が、カートリッジケース３の軸Ｃ方向に突設されているため、ケース本体部３２と上側カバー３１とを結合してカートリッジケース３を組み立てる際には、上側カバー３１をケース本体部３２に対して上側仕切筒８および下側仕切筒９の延設方向に移動させながら組み立てることができる。すなわち、浄化材２が充填されたケース本体部３２内に、上側仕切筒８を容易に差し込むことが可能となり、水の通過経路を長く確保しつつ、浄水カートリッジ１の組付作業性を向上させることができる。
【００４５】
図３は、第１実施形態の変形例を示す浄水カートリッジの断面図である。
【００４６】
本変形例にかかる浄水カートリッジ１Ａは、上記第１実施形態の浄水カートリッジ１と同様に上側仕切筒８および下側仕切筒９によって浄化室Ｓ２内に流水経路１０Ａを形成し、流入口（導入部）４から吐出部５ａに至る流水経路１０Ａの最短経路が流入口４と吐出部５ａとの最短距離よりも長くなるようにしている。また、流水経路１０Ａには、水の流れる方向が変化する屈曲部１１が形成されている。
【００４７】
そして、本変形例にかかる流水経路１０Ａには、屈曲部１１における水の流れの外側に位置する隅部１２にコーナー部材１３が設けられている。
【００４８】
具体的には、上側仕切筒８の外周面と上側カバー３１との連結部分と、下側仕切筒９の内周面とケース本体部３２の底壁３２ｂとの連結部分と、ケース本体部３２の内側面と上側カバー３１との連結部分と、にそれぞれ断面直角に形成されている隅部１２にコーナー部材１３を取り付けることにより水が流れにくい部分に充填剤２が充填されるのを抑制している。
【００４９】
なお、コーナー部材１３は、上側仕切筒８、上側カバー３１、下側仕切筒９、ケース本体部３２に一体に設けてもよいし、別体に設けてもよい。
【００５０】
以上の本変形例によっても、上記第１実施形態と同様の作用効果を奏することができる。
【００５１】
さらに、上側仕切筒８および下側仕切筒９によって形成される流水経路１０Ａの水が流れにくい隅部１２にコーナー部材１３を設けることで、流水経路１０Ａの形状を水が通過する実質的な形状に近づけることができるため、カートリッジケース３内に充填した浄化材２を有効に利用できるようになる。
【００５２】
また、コーナー部材１３を設けることによって、上側カバー３１をケース本体部３２に取り付ける際に当該コーナー部材１３によってケース本体部３２内の浄化材２が押圧されるため、ケース本体部３２内で浄化材２に隙間が発生するのを抑制することができ、これにより、浄水カートリッジ１の浄化機能のさらなる向上を図ることができるという利点もある。
【００５３】
（第２実施形態）図４〜図７は、本発明の第２実施形態を示しており、図４は、浄水カートリッジの断面図、図５は、浄水カートリッジの内部構成部材の分解斜視図、図６は、浄水カートリッジの組み付け途中の断面図、図７は、浄水カートリッジの最終的な組み付け状態を示す断面図である。
【００５４】
図４に示すように、本実施形態にかかる浄水カートリッジ１Ｂは、基本的に上記第１実施形態の浄水カートリッジ１と同様の構成をしており、浄化材２と、この浄化材２を充填する浄化室Ｓ３が内部に形成されるカートリッジケース３と、このカートリッジケース３の上側カバー３１に設けられる流入口４および下側カバー３３に設けられる吐出口５と、を備えている。
【００５５】
ここで、本実施形態が上記第１実施形態と主に異なる点は、カートリッジケース３の軸Ｃ方向に対して略直角方向に配置される円板状の邪魔板（小径邪魔板１０１、１０２および大径邪魔板１０３）によって、浄化室Ｓ３内に流水経路１０Ｂを形成し、水導入口（導入部）４ａから水通過口（吐出部）５ａに至る流水経路１０Ｂの最短経路が水導入口（導入部）４ａと水通過口（吐出部）５ａとの最短距離よりも長くなるようにしたことにある。
【００５６】
本実施形態では、カートリッジケース３は、軸Ｃ方向（図４中上下方向）に着脱可能に２分割されており、アッパーケース（第２の分割体）３１Ｂとロワケース（第１の分割体）３２Ｂとを備えている。
【００５７】
そして、分割したアッパーケース３１Ｂとロワケース３２Ｂのそれぞれの内方に、外径がカートリッジケース３の内径よりも小さい小径邪魔板１０１、１０２（図５参照）が、カートリッジケース３の軸Ｃ方向に対して略直角方向に配置されるとともに、ロワケース３２Ｂの分割口（開口）３２ａＢに、浄化材２を充填した状態で閉塞する大径邪魔板１０３（図５参照）が取り付けられるようになっている。このとき、図５にも示すように、大径邪魔板１０３の中央部には中央開口（通過口）１０３ａが形成されており、その中央開口１０３ａには、浄化材２の通過は阻止するが水の通過を許容する多孔質膜（透過膜）１０４が設けられている。
【００５８】
また、アッパーケース３１Ｂの上部およびロワケース３２Ｂの下部には、それぞれ水導入口（導入部）４ａおよび水通過口（吐出部）５ａが形成されており、充填した浄化材２が流入口４および吐出口５から落下しないように、上述した多孔質膜１０４と同様の多孔質膜１０５、１０６が取り付けられている。
【００５９】
アッパーケース３１Ｂの内方に配置される小径邪魔板１０１は、一方の多孔質膜１０５の中心部から垂設した支柱１０７の先端に取り付けられており、アッパーケース３１Ｂの内側中央部に配置されている。
【００６０】
また、ロワケース３２Ｂの内方に配置される小径邪魔板１０２は、中央開口１０３ａの多孔質膜１０４の中心部と他方の多孔質膜１０６の中心部とに亘って取り付けられた支柱１０８の長さ方向中央部に取り付けられており、ロワケース３２Ｂの内側中央部に配置されている。このとき、それぞれの小径邪魔板１０１、１０２の外周とアッパーケース３１Ｂ、ロワケース３２Ｂの内周との間には隙間δ１、δ２が設けられている。
【００６１】
本実施形態では、上述のように小径邪魔板１０１、１０２および大径邪魔板１０３を配置することで、水導入口（導入部）４ａの平面領域の各点から水通過口（吐出部）５ａの平面領域まで最短距離で結んだ線分群を構成する全ての線分（本実施形態では浄化室Ｓ３内の軸Ｃに平行な全ての線分）を複数に分割して浄化室Ｓ３内の水を迂回させるようにし、水の通過経路を長くしている。
【００６２】
具体的には、流入口４から注入された水は、水導入口（導入部）４ａを通過してアッパーケース３１Ｂの上部に導入された後、小径邪魔板１０１の隙間δ１を通過してアッパーケース３１Ｂの下部に至る。それから、大径邪魔板１０３の中央部に設けた中央開口１０３ａを通過してロワケース３２Ｂの上部に導入された後、小径邪魔板１０２の隙間δ２を通過してロワケース３２Ｂの下部に至る。そして、水通過口（吐出部）５ａを通過して吐出口５から吐出される。すなわち、浄化室Ｓ３内の水が小径邪魔板１０１，１０２の隙間δ１、δ２および大径邪魔板１０３の中央開口１０３ａをジグザグ状に通過するように迷路状の流水経路１０Ｂを形成している。
【００６３】
このように構成された浄水カートリッジ１Ｂは、アッパーケース３１Ｂ、ロワケース３２Ｂに、上側カバー３１、下側カバー３３および小径邪魔板１０１、１０２、大径邪魔板１０３、を取り付けるとともに、カートリッジケース３内に浄化材２を充填することで組み付けが完了する。
【００６４】
本実施形態では、図６に示すように、アッパーケース３１Ｂに浄化材２を充填した状態で、図７に示すように、アッパーケース３１Ｂの分割口３２ａＢに、大径邪魔板１０３で閉塞したロワケース３２Ｂの分割口３２ａＢが結合されるようになっている。なお、図６では、アッパーケース３１Ｂとロワケース３２Ｂとを分割して、双方の分割口３１ａＢ、３２ａＢを上方に向けた状態を示しており、また、図７では、ロワケース３２Ｂをアッパーケース３１Ｂに結合しようとする状態を示しており、図４の断面図とは上下が逆に示されている。
【００６５】
本実施形態にかかる浄水カートリッジ１Ｂの組み付けは、図６に示すように、アッパーケース３１Ｂとロワケース３２Ｂとを分割して、それぞれ分割口３１ａＢ、３２ａＢを上方に向けて載置し、それぞれの分割口３１ａＢ、３２ａＢからアッパーケース３１Ｂとロワケース３２Ｂ内に浄化材２を装填し、ロワケース３２Ｂの分割口３２ａＢに大径邪魔板１０３を取り付ける。このとき、ロワケース３２Ｂは、大径邪魔板１０３で分割口３２ａＢが閉止されているため、上下を逆にしても浄化材２が落下することはない。
【００６６】
そして、図７に示すように、大径邪魔板１０３が取り付けられたロワケース３２Ｂを、図６の状態から上下逆にして、ロワケース３２Ｂの下端に位置する分割口３２ａＢを、アッパーケース３１Ｂの分割口３１ａＢに結合し、浄水カートリッジ１Ｂの組み付けが完了する。なお、この図７に示す組み付け完了時点では、浄水カートリッジ１Ｂは図４に示す状態とは上下が逆になっている。
【００６７】
以上の本実施形態によっても、上記第１実施形態と同様の作用効果を奏することができる。すなわち、アッパーケース（第２の分割体）３１Ｂのロワケース（第１の分割体）３２Ｂへの取付方向である軸Ｃに対して略直角方向に配置される小径邪魔板１０１、１０２および大径邪魔板１０３を隔壁として用い、水導入口（導入部）４ａから水通過口（吐出部）５ａに至る流水経路１０Ｂの最短経路が水導入口（導入部）４ａと水通過口（吐出部）５ａとの最短距離よりも長くなるようにしたため、より簡素な構成で浄化機能の向上を図ることができる。
【００６８】
また、本実施形態によれば、アッパーケース３１Ｂ内およびロワケース３２Ｂ内にそれぞれ設けられ、外径がカートリッジケース３の内径よりも小さい小径邪魔板１０１、１０２と、浄化材２の通過は阻止するが水の通過を許容する多孔質膜（透過膜）１０４を設けた中央開口（通過口）１０３ａが中央部に形成され、ロワケース３２Ｂの分割口（開口）３２ａＢを覆う大径邪魔板１０３とにより流水経路１０Ｂを迷路状に形成し、アッパーケース３１Ｂに大径邪魔板１０３で分割口（開口）３２ａＢを覆ったロワケース３２Ｂを結合させるようにしたため、水の通過経路を長くして浄化材２との接触時間を長くし、浄化能力を高めることができる上、浄化室Ｓ３内に浄化材２を容易に充填することができるようになり浄水カートリッジ１Ｂの組付作業性を向上させることができる。
【００６９】
図８は、第２実施形態の変形例を示す浄水カートリッジの断面図である。
【００７０】
本変形例にかかる浄水カートリッジ１Ｃも、上記第２実施形態の浄水カートリッジ１Ｂと同様に小径邪魔板１０１、１０２および大径邪魔板１０３によって浄化室Ｓ４内に流水経路１０Ｃを形成し、水導入口（導入部）４ａから水通過口（吐出部）５ａに至る流水経路１０Ｃの最短経路が水導入口（導入部）４ａと水通過口（吐出部）５ａとの最短距離よりも長くなるようにしている。
【００７１】
さらに、本変形例では、小径邪魔板１０１、１０２および大径邪魔板１０３の水導入口（導入部）４ａ側の面に、水の流れる方向に向かうほど薄くなるテーパ部１１０を形成するとともに、水通過口（吐出部）５ａ側の面に、水の流れる方向に向かうほど厚くなるテーパ部１１０を形成している。
【００７２】
すなわち、小径邪魔板１０１、１０２の両面に、中心部が厚くて外周縁部が薄くなるテーパ部１１０が形成されるとともに、大径邪魔板１０３の両面に、外周縁部が厚くて中央開口（通過口）１０３ａの内周縁部が薄くなるテーパ部１１０が形成されている。
【００７３】
なお、小径邪魔板１０１、１０２のテーパ部１１０および大径邪魔板１０３のテーパ部１１０は、小径邪魔板１０１、１０２および大径邪魔板１０３と一体に成形されてもよく、また、別体として形成して円板状の小径邪魔板１０１、１０２および大径邪魔板１０３に貼り付けるようにしてもよい。
【００７４】
以上の本変形例によっても、上記第２実施形態と同様の作用効果を奏することができる。
【００７５】
さらに、小径邪魔板１０１、１０２の両面および大径邪魔板１０３の両面にテーパ部１１０を形成することで、流水経路１０Ｃの形状を水が通過する実質的な形状に近づけることができるため、カートリッジケース３内に充填した浄化材２を有効に利用できるようになる。また、小径邪魔板１０１、１０２の両面および大径邪魔板１０３の両面にテーパ部１１０を形成することで、カートリッジケース３内に浄化材２を容易に充填できるようになるという利点もある。
【００７６】
（第３実施形態）図９は、本発明の第３実施形態を示しており、図９は、浄水カートリッジの断面図である。
【００７７】
図９に示すように、本実施形態にかかる浄水カートリッジ１Ｄは、基本的に上記第２実施形態の浄水カートリッジ１Ｂと同様の構成をしており、カートリッジケース３内に小径邪魔板１０１Ｄ、１０２Ｄと大径邪魔板１０３Ｄとを軸Ｃ方向に交互に配置することで、浄化室Ｓ５内に流水経路１０Ｄを形成し、水導入口（導入部）４ａから水通過口（吐出部）５ａに至る流水経路１０Ｄの最短経路が水導入口（導入部）４ａと水通過口（吐出部）５ａとの最短距離よりも長くなるようにしている。そして、小径邪魔板１０１Ｄ、１０２Ｄおよび大径邪魔板１０３Ｄの両面には、それぞれテーパ部１１０が形成されている。
【００７８】
ここで、本実施形態が上記第２実施形態と主に異なる点は、小径邪魔板１０１Ｄ、１０２Ｄが、一方の多孔質膜１０６の略中央部から立設される１本の支柱１０９に取り付けられていることにある。
【００７９】
以上の本実施形態によれば、交互に配置した小径邪魔板１０１Ｄ、１０２Ｄと大径邪魔板１０３Ｄとによって、カートリッジケース３内に迷路状の流水経路１０Ｄを構成できるため、水の通過経路を長くして浄化材２との接触時間を長くし、浄化能力を高めることができる。
【００８０】
また、本実施形態によれば、小径邪魔板１０１Ｄ、１０２Ｄおよび大径邪魔板１０３Ｄにそれぞれテーパ部１１０を形成することで、小径邪魔板１０１Ｄ、１０２Ｄおよび大径邪魔板１０３Ｄを交互に配置した状態であっても、これらの邪魔板に邪魔されることなくカートリッジケース３内に浄化材２を充填することができるようになるため、カートリッジケース３内に浄化材２を容易に充填でき、浄水カートリッジ１Ｄの組付作業性を向上させることができる。
【００８１】
（第４実施形態）図１０、図１１は本発明の第４実施形態を示しており、図１０は、浄水カートリッジの断面図、図１１は、浄化材収納袋を展開した斜視図である。
【００８２】
図１０に示すように、本実施形態にかかる浄水カートリッジ１Ｅは、水の通過を遮断するシートやチューブ等の可撓性部材で形成された細長の浄化材収納袋２００でカートリッジ本体が形成されている。
【００８３】
この浄化材収納袋２００は、浄化材２を充填する浄化室Ｓ６と、当該浄化室Ｓ６内に水を導入する導入部２０１と、当該浄化室内の水を吐出する吐出部２０２と、を有している。
【００８４】
そして、浄化材２を可撓性の浄化材収納袋２００に充填して、その浄化材収納袋２００を折り畳んで収納ケース（カートリッジ本体収納部）２０３内に収納することで浄水カートリッジ１Ｅを形成している。
【００８５】
本実施形態では、浄化材収納袋２００は、図１１に示すように、水の通過を遮断する可撓性のシートによって、カートリッジケース３内部の軸長よりも十分に長くした帯状袋として形成される。そして、浄化材収納袋２００の一端部２００ａにケース２０３の外側に突出する入口（導入部）２０１が形成されるとともに、他端部２００ｂにケース２０３の外側に突出する出口（吐出部）２０２が形成される。なお、入口２０１および出口２０２には、浄化材２の通過は阻止するが液体の通過を許容する多孔質膜が取り付けられている。
【００８６】
そして、浄化材収納袋２００を、図１０に示すように、浄化材２が装填された状態で折り畳み、入口２０１と出口２０２とがそれぞれケース２０３の外側に突出するようにカートリッジケース２０３内に収納する。このように、本実施形態では、浄化材収納袋２００が流水経路１０Ｅになっている。
【００８７】
以上の本実施形態によれば、浄化材２を装填した可撓性の浄化材収納袋２００を用いることで、浄化材収納袋２００内を流れる流水経路１０Ｅを長くして浄化材２との接触時間を長くし、浄水カートリッジ１Ｅの浄化能力を高めることができる。
【００８８】
さらに、収納ケース（カートリッジ本体収納部）２０３内に折り畳まれて収納されるため、浄水カートリッジ１Ｅのコンパクト化を図ることができる。
【００８９】
さらに、浄化材２を単に浄化材収納袋２００に装填した後、当該浄化材収納袋２００を折り畳んで収納ケース（カートリッジ本体収納部）２０３に収納するだけで浄水カートリッジ１Ｅを組み立てることができるため、浄水カートリッジ１Ｅの組立作業性を向上できる。
【００９０】
また、浄化材収納袋２００は形状を自由に変化できるため、多様な形状の収納ケース（カートリッジ本体収納部）にも適応させることができる。
【００９１】
以上、本発明の好適な実施形態について説明したが、本発明は上記実施形態には限定されず、種々の変形が可能である。例えば、浄水カートリッジや仕切筒を円筒形以外の形状としてもよいし、可動遮蔽部材を円板状以外の形状としてもよい。また、浄化室や、導入部、吐出部、その他細部のスペック（形状、大きさ、レイアウト等）も適宜に変更可能である。
【符号の説明】
【００９２】
１、１Ａ、１Ｂ、１Ｃ、１Ｄ、１Ｅ  浄水カートリッジ
２  浄化材
３  カートリッジケース（カートリッジ本体）
４  流入口（導入部）
４ａ  水導入口（導入部）
５ａ  水通過口（吐出部）
８  上側仕切筒（隔壁）
９  下側仕切筒（隔壁）
１０、１０Ａ、１０Ｂ、１０Ｃ、１０Ｄ、１０Ｅ  流水経路
１１  屈曲部
１２  隅部
１３  コーナー部材
３１  上側カバー（第２の分割体）
３１Ｂ  アッパーケース（第２の分割体）
３２  ケース本体部（第１の分割体）
３２ａ  上端開口部（開口）
３２Ｂ  ロワケース（第１の分割体）
３２ａＢ  分割口（ロワケースの開口）
１０１、１０１Ｃ、１０１Ｄ  小径邪魔板（隔壁）
１０２、１０２Ｃ、１０２Ｃ  小径邪魔板（隔壁）
１０３、１０３Ｃ、１０３Ｄ  大径邪魔板（隔壁）
１１０  テーパ部
１０３ａ  中央開口（通過口）
１０４  多孔質膜（透過膜）
２００  浄化材収納袋（カートリッジ本体）
２０１  入口（導入部）
２０２  出口（吐出部）
Ｃ  軸（取付方向）
Ｓ１、Ｓ２、Ｓ３、Ｓ４、Ｓ５、Ｓ６  浄化室
【図１】
2010162490.tif 000003
【図２】
2010162490.tif 000004
【図３】
2010162490.tif 000005
【図４】
2010162490.tif 000006
【図５】
2010162490.tif 000007
【図６】
2010162490.tif 000008
【図７】
2010162490.tif 000009
【図８】
2010162490.tif 000010
【図９】
2010162490.tif 000011
【図１０】
2010162490.tif 000012
【図１１】
2010162490.tif 000013